(57)【要約】      （修正有）【課題】コネクタとプリント基板との間に負荷をかけずに静電気対策を施す。【解決手段】デジタルカメラのカバー１４，１５を補強する板金２６に、コネクタ２３のコネクタグランド板３３の中央面３３ａと平行になるように立設部２６ａが設けられている。立設部２６ａの端部に設けられた爪部２６ｂとコネクタ２３のコネクタグランド板３３との間には、一端部が爪部２６ｂに係止され、他端部が中央面３３ａを押圧接触することにより、板金２６とコネクタグランド板３３とを導通させる導電性の圧縮バネ４４が設けられている。カバー１４，１５が、ビス２７，板金２６，圧縮バネ４４を介して、コネクタグランド板３３と導通するため、デジタルカメラを保持するユーザやカメラ本体の帯電によって内部の電子部品が破壊されることが防止される。コネクタ２３をカバーにねじ止めしないから、コネクタ２３とプリント基板３４との間に負荷をかけることもない。【選択図】図６
2008135283.tif 000002
【特許請求の範囲】
【請求項１】
機器本体の外側を被覆した導電性を有する外装部材と、
この外装部材の一部に形成された第１の孔を介して外部機器との電気的な接続を行なうとともに、その外面の一部を覆うようにグランド部が設けられたコネクタと、
前記孔近傍の外装部材の内側にねじ止めされて外装部材の補強を行なう導電性の補強部材と、
この補強部材に一端部が接触し、前記コネクタのグランド部に他端部が接触することにより、前記補強部材とグランド部とを導通する導電性のバネと
を設けたことを特徴とする電子機器。
【請求項２】
前記コネクタは、前記機器本体の内側に固定された回路基板に実装されていることを特徴とする請求項１記載の電子機器。
【請求項３】
前記外装部材には、前記第１の孔の近傍に、三脚取り付け用の雌ねじを露呈する第２の孔が形成され、前記補強部材は、前記第１，第２の孔近傍の外装部材を補強することを特徴とする請求項１または２記載の電子機器。
【請求項４】
前記バネは、前記補強部材に形成された突起部に一端部が圧入され、他端部がコネクタのグランド部を押圧する圧縮バネであることを特徴とする請求項１ないし３いずれか記載の電子機器。
【請求項５】
前記バネは、前記コネクタのグランド部に形成された突起部に一端部が圧入され、前記補強部材を他端部が押圧する圧縮バネであることを特徴とする請求項１ないし３いずれか記載の電子機器。
【請求項６】
前記バネは、前記補強部材に形成された係合部に一端部が係合し、前記コネクタのグランド部に形成された係合部に他端部が係合する引張りバネであることを特徴とする請求項１ないし３いずれか記載の電子機器。
【発明の詳細な説明】
【技術分野】
【０００１】
本発明は、デジタルカメラやカメラ付き携帯電話などの電子機器に関し、更に詳しくは外部機器を接続するコネクタを備えるとともに静電気対策を施した電子機器に関するものである。
【背景技術】
【０００２】
デジタルカメラやカメラ付き携帯電話などの電子機器には、人体や機器本体の帯電によって電子機器内部の電子部品が破壊されるのを防止するために、静電気対策を施したものが知られている（例えば特許文献１）。この特許文献１に記載されたカメラでは、外部機器と電気的に接続してデータの遣り取りを行なうコネクタのグランド部と、コネクタを外装部材（カバー）に取り付けるねじとを、コネクタアース板を介して導通することにより、静電気対策を行なっている。
【特許文献１】特開２００５−２３５５９２号公報
【発明の開示】
【発明が解決しようとする課題】
【０００３】
ところで、デジタルカメラなどの電子機器をより小型・薄型化するには、できる限り部品を分散させずに１枚の回路基板に実装することが望ましい。そこで、上記のようなコネクタをリジットな（フレキシブルではない）回路基板（硝子基板など）に実装した場合に、上記特許文献１に記載されているように、コネクタを外装部材にねじ締めすると、このねじ締めによってコネクタと回路基板との間に負荷がかかるという問題点が生じる。
【０００４】
本発明は、上記のような問題点を解決するためになされたもので、コネクタを回路基板に実装してもコネクタと回路基板との間に負荷をかけることなく静電気対策を有効に施した電子機器を提供することを目的とする。
【課題を解決するための手段】
【０００５】
本発明の電子機器は、機器本体の外側を被覆した導電性を有する外装部材と、この外装部材の一部に形成された第１の孔を介して外部機器との電気的な接続を行なうとともに、その外面の一部を覆うようにグランド部が設けられたコネクタと、前記孔近傍の外装部材の内側にねじ止めされて外装部材の補強を行なう導電性の補強部材と、この補強部材に一端部が接触し、前記コネクタのグランド部に他端部が接触することにより、前記補強部材とグランド部とを導通する導電性のバネとを設けたことを特徴とする。
【０００６】
また、前記コネクタは、前記機器本体の内側に固定された回路基板に実装されていることを特徴とする。また、前記外装部材には、前記第１の孔の近傍に、三脚取り付け用の雌ねじを露呈する第２の孔が形成され、前記補強部材は、前記第１，第２の孔近傍の外装部材を補強することを特徴とする。
【０００７】
また、前記バネは、前記補強部材に形成された突起部に一端部が圧入され、他端部がコネクタのグランド部を押圧する圧縮バネであることを特徴とする。また、前記バネは、前記コネクタのグランド部に形成された突起部に一端部が圧入され、前記補強部材を他端部が押圧する圧縮バネであることを特徴とする。また、前記バネは、前記補強部材に形成された係合部に一端部が係合し、前記コネクタのグランド部に形成された係合部に他端部が係合する引張りバネであることを特徴とする。
【発明の効果】
【０００８】
本発明の電子機器によれば、外装部材の補強を行なう導電性の補強部材とコネクタのグランド部とを導電性のバネによって導通したので、外装部材が、ねじ，補強部材，バネを介してコネクタのグランド部に導通され、人体や外装部材に帯電した静電気は確実にグランド部へ流れ、静電気による電子機器内の電気回路や電気部品への悪影響を防止できる。また、前記補強部材とコネクタのグランド部とをバネによって導通するので、コネクタを回路基板に実装してもコネクタと回路基板との間に負荷をかけることがない。
【０００９】
また、前記コネクタを機器本体の内側に固定された回路基板に実装したので、電子機器の小型・薄型化に寄与できる。また、前記補強部材は、第１，第２の孔近傍の外装部材を補強するので、三脚を取り付ける際に外装部材に歪みなどの変形を発生させるおそれがない。
【００１０】
また、前記バネは、補強部材に形成された突起部に一端部が圧入され、他端部がコネクタのグランド部を押圧する圧縮バネとしたので、電子機器に衝撃が加えられてもバネが補強部材から容易に外れることがなく、また適度な接触圧のバネを用いれば、コネクタのグランド部に余計な負荷をかけるおそれがない。
【００１１】
また、前記バネは、コネクタのグランド部に形成された突起部に一端部が圧入され、補強部材を他端部が押圧する圧縮バネとしたので、電子機器に衝撃が加えられてもバネがコネクタのグランド部から容易に外れることがなく、また適度な接触圧のバネを用いれば、コネクタのグランド部に余計な負荷をかけるおそれがない。
【００１２】
また、前記バネは、補強部材に形成された係合部に一端部が係合し、コネクタのグランド部に形成された係合部に他端部が係合する引張りバネとしたので、電子機器に衝撃が加えられてもバネが補強部材及びコネクタのグランド部の両方から容易に外れることがなく、また適度な引っ張り力のバネを用いれば、コネクタのグランド部や補強部材に余計な負荷をかけるおそれがない。
【発明を実施するための最良の形態】
【００１３】
本発明の第１実施形態であるデジタルカメラの外観を底側から示す示す図１において、デジタルカメラ１０のカメラ本体１１は、外装部材である導電性を有するアルミニウムなどの金属製の前カバー１４，後カバー１５によって被覆されている。前カバー１４の前面には、左右方向に移動自在に設けられたレンズバリア１６と、このレンズバリア１６によって開閉される撮影レンズ１７が設けられている。
【００１４】
前記レンズバリア１６の中央上方部には、ストロボ発光窓１８が配設されている。また、カメラ本体１１の底部１１ａには、電池室を開閉する電池蓋２０，三脚取り付け用の雌ねじ２１が露呈される円形状の孔２２，外部機器（例えばパーソナルコンピュータ）との間で画像データなどのデータを遣り取りするコネクタ２３が露呈される矩形状の孔２４が形成されている。
【００１５】
前記底部１１ａの孔２２，２４付近を示す図２において、前記孔２２は、カバー１４，１５それぞれに形成された半円弧状の切欠き１４ａ，１５ａからなる。また、前記孔２４は、後カバー１５に形成された切欠きによって設けられている。
【００１６】
また、図３に示すように、前記雌ねじ２１が形成された雌ねじ部材２５（図４参照）と、前記孔２２，２４近傍、特には三脚取り付け用の孔２２周りのカバー１４，１５を補強する補強部材としての導電性の板金２６（図４参照）とが、前カバー１４と後カバー１５の境界を跨ぐようにして、前記ビス２７，２８，２９によってカバー１４，１５の内壁に共締めされている。なお、ビス２７で締められる部分のみ、板金２６が雌ねじ部材２５の上側になっており、他のビス２８，２９で締められる部分は、板金２６が雌ねじ部材２５の下側になっている。
【００１７】
前記コネクタ２３は、電気的接続用のコネクタ端子３１と、このコネクタ端子３１（端子）を保持するハウジングであり例えばプラスチック等の樹脂製からなる直方体のコネクタハウジング３２と、このコネクタハウジング３２の外面のうち３面をコの字状に覆うように設けられ、コネクタ端子３１の１つの端子と接続されているグランド部であるコネクタグランド板３３とからなる（図５参照）。
【００１８】
また、前記コネクタ２３は、図４に示すように、リジットな（フレキシブルではない）回路基板であるプリント基板３４の図面下方の縁近傍に実装され、前記コネクタグランド板３３の中央の面（以下中央面という）３３ａは、プリント基板３４の面３４ａに平行になっている。このプリント基板３４には、前記コネクタ２３の他、デジタルカメラ１０全体の制御を行なうＣＰＵ３５，ストロボ発光部３６，メインコンデンサ３７などの各種部品が実装されている。また、前記プリント基板３４は、コネクタ２３が孔２４から露呈されるように位置決めされて、後カバー１５の内側に固定されている。
【００１９】
また、前記板金２６は、前記雌ねじ２１が形成された円柱状部２５ａとコネクタ２３の両方を中央部に囲うように、鉤状をしており、その大部分がカバー１４，１５の内壁面に接触するように取り付けられる。なお、デジタルカメラ１０は小型・薄型化するためにカバー１４，１５の厚みを薄く（例えば０．５ｍｍ程度）しているため、雌ねじ２１に三脚の雄ねじをねじ込んで締め付けた際に、前記孔２２の周辺部に撓みや歪みが発生しやすい。このため、板金２６によって孔２２の周辺部を補強している。
【００２０】
前記カバー１４，１５の一部を破断してコネクタ２３付近の構成を示す図５，図６において、前記板金２６には、プリント基板３４の面３４ａと平行になるように、すなわちコネクタグランド板３３の中央面３３ａと平行になるように、Ｌ字型に屈曲されて立設部２６ａが設けられ、この端部の一部が更にＬ字型に屈曲されてコネクタ２３側に突出された爪部２６ｂが設けられている。
【００２１】
前記爪部２６ｂとコネクタ２３のコネクタグランド板３３との間には、一端部が爪部２６ｂに係止され、他端部がコネクタグランド板３３の中央面３３ａを押圧接触することにより、前記板金２６とコネクタグランド板３３とを導通させるコイル状をした導電性の圧縮バネ４４が設けられている。
【００２２】
前記爪部２６ｂの根元側の幅サイズは、前記圧縮バネ４４の外径とほぼ同じであり、先端側の幅サイズは、圧縮バネ４４の内径よりも狭く形成されている。これにより、圧縮バネ４４の一端部を爪部２６ｂに差し込むと、その差し込み当初は容易に差し込めるとともに、圧縮バネ４４の一端部を爪部２６ｂの根元部まで押し込むと、圧縮バネ４４の一端部は爪部２６ｂに係止され、不用意には外れなくなる。なお、圧縮バネ４４によるコネクタグランド板３３の中央面３３ａへの接触圧を算出するには、爪部２６ｂの根元部が圧入される部分を除いた範囲の巻き数に基づいて行なわれる。
【００２３】
また、前記圧縮バネ４４の他端部は、デジタルカメラ１０の組立行程でコネクタグランド板３３の中央面３３ａに押圧接触される。なお、圧縮バネ４４の径やピッチ，材質などを変更することにより、圧縮バネ４４とコネクタグランド板３３との接触抵抗を変更可能である。
【００２４】
また、圧縮バネ４４の他端部が押圧接触されるコネクタグランド板３３の中央面３３ａに半抜きや絞りなどで凹部を設け、落下などによりデジタルカメラ１０に衝撃が加えられた場合でも、容易には圧縮バネ４４の他端部がコネクタグランド板３３の中央面３３ａから外れないようにするのが好ましい。
【００２５】
また、前記圧縮バネ４４によってコネクタグランド板３３を押圧接触しているので、デジタルカメラ１０に衝撃が加えられて板金２６や立設部２６ａに歪みが生じても、コネクタグランド板３３やコネクタ２３そのものを破損させるおそれがない。また、コネクタ２３をカバー１４，１５にねじ止めしないから、コネクタ２３とプリント基板３２との間に負荷をかけることがない。
【００２６】
このように構成された本発明のデジタルカメラ１０では、カバー１４，１５が、ビス２７〜２９，圧縮バネ４４を介して、コネクタグランド板３３と導通するため、デジタルカメラ１０を保持するユーザやカメラ本体１１の帯電によってデジタルカメラ１０内部の電子部品が破壊されることが防止される。なお、カバー１４，１５がアルマイト処理されている場合には、前記ビス２７〜２９をノッチ付きのビスとすることにより、前記ビス２７〜２９とカバー１４，１５との導通を確保できる。
【００２７】
次に、本発明の第２実施形態を示す図７及び図８において、コネクタグランド板３３の側面３３ｂに、コの字状をした導電性の爪部材５０が接合されている。一方、前記板金２６と同様の板金５２の立設部５２ａには、爪部ではなく凹部５２ｂが形成されている。なお、上記第１実施形態と同じ部材には、同じ符号を付し、説明を省略する。
【００２８】
前記爪部材５０と凹部５２ｂとの間には、一端部が爪部材５０に係止され、他端部が凹部５２ｂを押圧接触することにより、爪部材５０を介してコネクタグランド板３３と板金５２とを導通させるコイル状をした導電性の圧縮バネ５４が設けられている。このような構成により、カバー１４，１５が、ビス２７〜２９，板金５２，圧縮バネ５４及び爪部材５０を介して、コネクタグランド板３３と導通される。なお、落下の衝撃などを受けた時でも、圧縮バネ５４の他端部が凹部５２ｂから容易には外れないように、凹部５２ｂの内径を圧縮バネ５４の他端部がぴったり納まるサイズ及び形状に加工するのが好ましい。
【００２９】
次に、本発明の第３実施形態を示す図９及び図１０において、コネクタグランド板３３の側面３３ｂに、Ｌ字型をした導電性の係合部材５６が接合されている。この係合部材５６には溝５６ａが形成されている。一方、前記板金２６と同様の板金５８の立設部５８ａには、爪部や凹部ではなく、溝５８ｂが形成されている。なお、上記第１，２実施形態と同じ部材には、同じ符号を付し、説明を省略する。
【００３０】
前記係合部材５６と立設部５８ａとの間には、一端部が係合部材５６の溝５６ａに係合し、他端部が立設部５８ａの溝５８ｂに係合することにより、係合部材５６を介してコネクタグランド板３３と板金５８とを導通させるコイル状をした導電性の引張りバネ６０が設けられている。このような構成により、カバー１４，１５が、ビス２７〜２９，板金５８，引張りバネ６０及び係合部材５６を介して、コネクタグランド板３３と導通される。
【００３１】
以上説明した実施形態では、電子機器の一例として、デジタルカメラ（主に静止画を撮影するデジタルスチルカメラ）を挙げたが、本発明はこれに限定されることなく、例えばムービーを撮影するデジタルビデオカメラでもよく、またカメラ付き携帯電話や小型のプロジェクタなどであってもよい。
【図面の簡単な説明】
【００３２】
【図１】本発明の第１実施形態であるデジタルカメラの外観を底側から示す斜視図である。
【図２】三脚取り付け用の孔付近の底部を示す説明図である。
【図３】図２においてカバーを取り除いた状態を示す説明図である。
【図４】カメラ本体の分解斜視図である。
【図５】コネクタ付近の構成をカバーを破断して示す説明図である。
【図６】板金，圧縮バネ，コネクタの関係をカバーを破断して示す説明図である。
【図７】第２実施形態のコネクタ付近の構成をカバーを破断して示す説明図である。
【図８】第２実施形態の板金，圧縮バネ，コネクタの関係をカバーを破断して示す説明図である。
【図９】第３実施形態のコネクタ付近の構成をカバーを破断して示す説明図である。
【図１０】第３実施形態の板金，引張りバネ，コネクタの関係をカバーを破断して示す説明図である。
【符号の説明】
【００３３】
１０  デジタルカメラ
１１  カメラ本体
１１ａ  底部
１４  前カバー
１５  後カバー
２１  雌ねじ
２２，２４  孔
２３  コネクタ
２５  雌ねじ部材
２６，５２，５８  板金
２６ａ，５２ａ，５８ａ  立設部
２６ｂ  爪部
２７〜２９  ビス
３３  コネクタグランド板
３３ａ  中央面
３３ｂ  側面
３４  プリント基板
４４，５４  圧縮バネ
５０  爪部材
５２ｂ  凹部
５６  係合部材
５６ａ，５８ｂ  溝
６０  引張りバネ
【図１】
2008135283.tif 000003
【図２】
2008135283.tif 000004
【図３】
2008135283.tif 000005
【図４】
2008135283.tif 000006
【図５】
2008135283.tif 000007
【図６】
2008135283.tif 000008
【図７】
2008135283.tif 000009
【図８】
2008135283.tif 000010
【図９】
2008135283.tif 000011
【図１０】
2008135283.tif 000012